(57)【要約】      （修正有）【課題】流し台のシンクに配置することができ、かつ手を汚さずに生ごみを脱水することができる生ごみ脱水機を支持する支持装置および、その支持装置を有する生ごみ脱水装置を提供する。【解決手段】支持装置１１は、生ごみ脱水機を内蔵しつつ回転可能に支持するものであり、円筒形状を呈し、その支持装置１１における側面を構成する支持側部２０と、その支持装置１１の底を構成する支持底部３０と、を有するものであり、生ごみを脱水するために生ごみ脱水機を回転可能に支持するための回転支持部３２と、回転支持部３２に回転可能に支持された生ごみ脱水機から排出された排水をさらに外部に排出するための支持排水部３５を有する。【選択図】図３
0003206617.tif 000002
【実用新案登録請求の範囲】
【請求項１】
生ごみを脱水するために生ごみ脱水機を回転可能に支持するための回転支持部と、前記回転支持部に回転可能に支持された生ごみ脱水機から排出された排水をさらに外部に排出するための支持排水部と、を有する前記生ごみ脱水機を支持する支持装置。
【請求項２】
前記支持装置は、底面を構成する支持底部と、前記支持底部に、前記回転支持部と、前記支持排水部と、を有し、前記回転支持部は前記支持底部の中心に配置した請求項１記載の生ごみ脱水機を支持する支持装置。
【請求項３】
前記支持排水部は、前記回転支持部の周りに配置した請求項２記載の生ごみ脱水機を支持する支持装置。
【請求項４】
前記支持装置は、円筒形状を呈し、かつ側面を構成する支持側部を有し、前記支持側部は、前記生ごみ脱水機からの排水を前記支持底部の支持排水部に誘導するために前記支持底部と、滑らかに接続している請求項２または３項記載の生ごみ脱水機を支持する支持装置。
【請求項５】
生ごみを収納するためのごみかご本体と、前記ごみかご本体を回転させるための駆動体と、前記駆動体を回転させるための回転体と、前記駆動体と前記回転体を配置した蓋部と、を有する生ごみ脱水機と、前記生ごみ脱水機を支持する請求項１から４のいずれか１項記載の支持装置と、を具備する生ごみ脱水装置。
【考案の詳細な説明】
【技術分野】
【０００１】
本考案は、生ごみ脱水機を回転可能に支持する支持装置及び生ごみ脱水機とその支持装置とを有する生ごみ脱水装置に関するものである。
【背景技術】
【０００２】
従来、生ごみを処理するために三角コーナーを使用した場合に、生ごみの入った水切りネットを手に持ち水気を絞ったり、あるいはシンクの排水口内に配置された上記生ごみ籠に集められた生ごみの水気を絞ったりした後に当該生ごみを廃棄して処理をする。しかしながら、この場合に悪臭を発する生ごみに触れて水気を切らなければならず、これらの作業は極めて不快である。また、生ごみは最終的に焼却処理されるが、水気があると焼却場の効率を悪化させるものとなる。これを解決するものとして、特開平９−２９０１７３号において生ごみ処理装置なるものが開示されている。
【０００３】
上記生ごみ処理装置は、流し台の底部に形成した集水口から排水口に延びる排水管内が隔壁により前記集水口に連通する生ごみ回収室と前記排水口に連通する排水室とに区画され、前記隔壁の側部に複数の脱水孔を有する脱水部が形成されると共に、前記隔壁の底部に複数のごみ排出孔を有する固定カッターが設けられ、前記生ごみ回収室内に生ごみ圧搾用スクリューが回転駆動可能に配置されると共に、該スクリューの先端に前記固定カッターに接近して回転カッターが設けられていることを特徴とするものである。
【０００４】
しかしながら、上記発明に係る生ごみ処理装置は、あらかじめ、シンクに組み込まれているものであることから、この生ごみ処理装置を設置するためにはシンク全体を交換しなければならずコストがかさむことになる。また、生ごみを固定カッターで粉砕し、そのまま下水管に流すという構成であることから、家庭内において生ごみを処理する必要がないが、粉砕された生ごみが下水管を塞ぐ場合がある。また、また自治体によっては下水の処理の能力の関係から処理するための負担を生じさせる場合がある。
【先行技術文献】
【特許文献】
【０００５】
【特許文献１】特開平９−２９０１７３号公報
【考案の概要】
【考案が解決しようとする課題】
【０００６】
本考案の課題は、新たなシンクに取り換えることなく従来の三角コーナーと同様に流し台のシンクに配置することができ、かつ手を汚さずに生ごみを脱水することができる生ごみ脱水機を支持する支持装置および、その支持装置と、生ごみ脱水機と、を有する生ごみ脱水装置を提供することを目的とする。
【０００７】
上記目的に鑑み鋭意研究の結果、第１観点の支持装置は、生ごみを脱水するために生ごみ脱水機を回転可能に支持するための回転支持部と、回転支持部に回転可能に支持された生ごみ脱水機から排出された排水をさらに外部に排出するための支持排水部と、を有するものである。
【０００８】
また、第２観点の支持装置は、第１観点において、底面を構成する支持底部と、支持底部に、回転支持部と、支持排水部と、を有し、回転支持部は支持底部の中心に配置するものである。
【０００９】
また、第３観点の支持装置は、第１観点または第２観点の支持装置において、支持排水部は、回転支持部の周りに配置するものである。
【００１０】
また、第４観点の支持装置は、第２観点または第３観点の支持装置において、支持装置は、円筒形状を呈し、かつ側面を構成する支持側部を有し、支持側部は、生ごみ脱水機からの排水を支持底部の支持排水部に誘導するために支持底部と、滑らかに接続するものである。
【００１１】
また、第５観点の生ごみ脱水装置は、生ごみを収納するためのごみかご本体と、ごみかご本体を回転させるための駆動体と、駆動体を回転させるための回転体と、駆動体と回転体を配置した蓋部と、を有する生ごみ脱水機と、第１観点から第４観点のいずれかの支持装置と、を具備するものである。
【考案の効果】
【００１２】
本考案は以上のように構成され、かつ、作用するものであり、新たなシンクに取り換えることなく従来の三角コーナーと同様に流し台のシンクに配置することができ、かつ手を汚さずに生ごみを脱水することができる生ごみ脱水機を支持する支持装置および、その支持装置と、生ごみ脱水機と、を有する生ごみ脱水装置を提供することができる。
【図面の簡単な説明】
【００１３】
【図１】生ごみ脱水装置の斜視図。
【図２】生ごみ脱水装置の分解斜視図。
【図３】Ａは支持装置の平面図、Ｂは支持装置の底面図、Ｃは支持装置の側面図。
【図４】Ａは生ごみ脱水機の平面図、Ｂは生ごみ脱水機の側面図、Ｃは生ごみ脱水機の断面図。
【図５】Ａはごみかご本体の平面図、Ｂはごみかご本体の断面図、Ｃはごみかご本体の側面図。
【図６】Ａは蓋体とカバー部材の平面図、Ｂは蓋体とカバー部材の断面図、Ｃは蓋体とカバー部材の側面図、Ｄは蓋体とカバー部材の底面図。
【図７】Ａは回転体の平面図、Ｂは回転体の側面図、Ｃは回転体の断面図。
【図８】Ａは駆動体の平面図、Ｂは駆動体の断面図、Ｃは駆動体の底面図。
【図９】Ａは把持部の側面図、Ｂは把持部の底面図、Ｃは把持部の断面図。
【図１０】シンクに生ごみ脱水装置を配置した状態の斜視図。
【図１１】生ごみ脱水装置の縦断面図。
【考案を実施するための形態】
【００１４】
本実施例における生ごみ脱水装置１０は、支持装置１１と、生ごみ脱水機１００と、を有するものである。そこでまず、支持装置１１について説明する。支持装置１１は、生ごみ脱水機１００を内蔵しつつ回転可能に支持するものであり、円筒形状を呈し、その支持装置１１における側面を構成する支持側部２０と、その支持装置１１の底を構成する支持底部３０と、を有するものである。また、前記支持側部２０の上部において、平面視円状に周回するように、その平面視直径方向における外方に突出した段差を有する鍔状部２１を配置している。またその支持側部２０は、後述するように、排水を支持底部３０に誘導するために、その支持側部２０の内側２０ａは、後述する生ごみ脱水機１００と相違し、孔が無く凸凹のない滑らかな構成である。また、支持側部２０と、支持底部３０とは、角のないＲ形状２５によって滑らかに接続されている。従って、後述するように、排水が、支持装置１１内に溜まりにくい構成である。
【００１５】
支持底部３０は、その支持底部３０の中心に、後述する回転支持部３２を配置するための配置部３１を有し、その配置部３１に、上方に突出する凸状の回転支持部３２を有している。またその配置部３１から、支持底部３０の周辺部３３に向かって、その配置部３１を中心として、平面視ほぼ１２０度ごとにずらすように、放射状に底片部３４、３４、３４を配置している。すなわち図３Ａにおいて、２時の方向、６時の方向、１０時の方向というように、アルファベットのＹの字状すなわち放射状にその各底片部３４、３４、３４を配置するというものである。ただし、各底片部３４、３４、３４の形状は、Ｙの字状に限定するものではない。従って、その底片部３４は、その形状に限定されることなく、また、２つまたは４つ以上存在する場合がある。
【００１６】
この配置部３１から、ほぼ１２０度ごとにずらすように平面視放射状に配置した各底片部３４、３４、３４の間に、排水を排出するための支持排水部３５、３５、３５を配置している。支持排水部３５、３５、３５は、支持装置１１の外部に通じる排水孔であり、後述するように、生ごみ脱水機１００から支持装置１１内に排出された排水を外部に放出するためのものである。また、配置部３１は、底片部３４、３４、３４によって支えられているために、その、配置部３１に配置された回転支持部３２を支えることができる。
【００１７】
上述の支持排水部３５、３５、３５は、それぞれ平面視ほぼ扇形状を呈するもので、その支持排水部３５、３５、３５における各円弧部３５ａ、３５ａ、３５ａは、支持底部３０の周辺部３３に倣うように配置されている。よって、支持底部３０は、底面といっても、底面全体が閉塞されているものではなく、支持底部３０から孔である支持排水部３５、３５、３５が抜けた状態を呈している。
【００１８】
また、底片部３４、３４、３４と、周辺部３３との接続部３７、３７、３７の底面側に脚部３８、３８、３８を有し、支持装置１１を支えている（図３Ａ、Ｂ、Ｃ参照）。この脚部３８、３８、３８は、高さをその直径よりも短くした短円筒形が好ましく、滑らないようにゴムまたは合成樹脂で構成することが好ましい。
【００１９】
上述の支持装置１１の内部に配置可能な生ごみ脱水機１００は、ごみかご本体１２０と、蓋体１４０と、回転体１５０と、駆動体１６０と、把持部１７０と、を有するものである。さらに、カバー部材１８０を有することができる（図４Ａ、Ｂ、Ｃ参照）。また、それらは合成樹脂で製作することができる。ごみかご本体１２０は、底部１２１と、側面部１２２と、を有し、底を有する筒状であり上部の開口部１２６に向かってその径が徐々に拡大する形状である。また、底部１２１の中心には、前記支持装置１１における回転支持部３２を受け入れるすり鉢状の軸受け部１２１ａを有している。
【００２０】
また、生ごみの水気を排水することができるように、側面部１２２は、一定間隔の隙間１２３が、複数設けられている。すなわち、複数の長片１３３と複数の隙間１２３と複数の短片１３４がそれぞれ交互に配置され、それらによって当該側面部１２２が構成されている。また、複数の各長片１３３と複数の短片１３４の各下端部は底部１２１において一体化されている。
【００２１】
また、側面部１２２の上部は、平面視直径方向における外方に突き出すように段差を設けた段差部１２４を有し当該側面部１２２の上方を周回するように配置している。また、さらに段差部１２４の上端部は鍔状を呈するフランジ部１２５を有する。これは、後述の蓋体１４０を載せ置くことが可能である。
【００２２】
複数の各長片１３３の上端部１３３ａと、複数の各短片１３４の上端部１３４ａと、は前記段差部１２４の内面と一体となっている。また、各短片１３４は、各長片１３３よりも短く構成されている。各長片１３３の上端部１３３ａ、上端部１３３ａ同士の間であって、複数の各短片１３４の上端部１３４ａの上方に、空所１３３ｂをそれぞれ有することになる。後述の回転体１５０の各かご体係合部１５４は、その空所１３３ｂに配置され、各長片１３３の上端部１３３ａと係合する。
【００２３】
蓋体１４０は後述する回転体１５０と駆動体１６０とを回転可能に収容するものであって、文字通り前記ごみかご本体１２０の蓋としても機能することができる。蓋体１４０は、下向きに開口する、平面視における直径に対して、側面視における高さが短いほぼ短円筒形状を呈するものである。また、つば部１４１の外径部分は、上部から順に、つば部大径部１４１ａ、つば部中径部１４１ｂ、つば部小径部１４１ｃが配置され、文字通り、つば部大径部１４１ａ、つば部中径部１４１ｂ、つば部小径部１４１ｃの順にその径を縮小したものである。また、このつば部大径部１４１ａと、つば部中径部１４１ｂと、つば部小径部１４１ｃとをカバーするように合成樹脂製のカバー部材１８０を配置している。このカバー部材１８０は、つば部大径部１４１ａと、つば部中径部１４１ｂと、つば部小径部１４１ｃとを文字通りカバーするように、そのつば部大径部１４１ａ、つば部中径部１４１ｂ、つば部小径部１４１ｃの形状に倣うように、段差を設けた形状に構成されている。なお、このカバー部材１８０については後述する。
【００２４】
また、円周溝１４２は、平面視、円形の蓋体１４０においてその中心からずれた位置に配置されている。ここで、ずれた位置とは、円形の蓋体１４０の中心と、円周溝１４２の中心が一致しないということである。また、この円周溝１４２は、後述する駆動体１６０の平面視円形のつば部１６２が配置されるものであり、駆動体１６０が回転するための軌道を規定したものである。よって、これにより駆動体１６０の回転を円滑に行うことができる。また、その円周溝１４２の径は蓋体１４０の径のほぼ半分であるがこれに限定されるものではない。
【００２５】
軸受け部１４３は、後述する駆動体１６０の駆動軸部１６４と嵌合するものであり、駆動体１６０を回転可能に支持するものである。また、空所１４５は、後述の回転体１５０における歯車１５３の一部が配置されるものである。支え部１４６は、後述の駆動体１６０を回転させる場合に支えとなるものである。
【００２６】
軸受け部１４４は、後述する回転体１５０の回転軸部１５２と嵌合するものであり、回転体１５０を回転可能に支持する。
【００２７】
回転体１５０は、平面視ほぼ円形の回転本体１５１を有し、その中心に回転軸部１５２が上方へ突出するように配置されている。回転軸部１５２は、二股に分割された先端１５２ａ、１５２ａを有し、その間に、空所１５２ｂを有することによって内径方向に変形可能に構成され、また、該先端１５２ａ、１５２ａは外方に突出した形状を呈することによって、前記軸受け部１４４から回転軸部１５２が抜け出すことを防止しつつ、回転体１５０を回転可能に支持する。
【００２８】
歯車１５３は、前記回転軸部１５２周りに配置され、その中心は回転軸部１５２と一致する。また、その内部に空所１５３ａを有している。さらに、回転本体１５１の下部には、前記回転本体１５１から垂れ下がるように、かご体係合部１５４が複数配置されている。
【００２９】
駆動体１６０は、全体としてほぼ短円筒形状を呈し、駆動本体１６１の外周を取り囲むようにつば部１６２を配置し、そのつば部１６２の内側即ち内周面に、歯車部１６３を配置している。また、駆動軸部１６４は駆動本体１６１における裏側の中心から、前記つば部１６２の内部において下方に突出する構成である。また、駆動軸部１６４は、二股に分割された先端１６４ａ、１６４ａを有し、その間に、空所１６４ｂを有することによって内径方向に変形可能に構成されている。また、該先端１６４ａ、１６４ａは外方に突出した形状を呈することによって、前記軸受け部１４３から駆動軸部１６４が抜け出すことを防止しつつ、駆動体１６０を回転可能に支持するものである。また、把持受け部１６５は、後述する把持部１７０と嵌合する。
【００３０】
把持部１７０も下向きに開口するものであり、把持部本体１７１とつば部１７２によりほぼ円筒形状を呈するものである。軸部１７３は、中空筒状であり、分割された先端１７３ａ、１７３ａを有し、その間に、空所１７３ｂを有することによって内径方向に変形可能に構成されている。また、該先端１７３ａ、１７３ａは外方に突出した形状を呈することによって、前記把持受け部１６５から軸部１７３が抜け出すことを防止しつつ、把持部１７０を回転可能に支持する。
【００３１】
ごみかご本体１２０と、蓋体１４０と回転体１５０と駆動体１６０と把持部１７０を組み立てることにより、生ごみ脱水機１００を構成する。この場合、蓋体１４０における円周溝１４２内に、前記駆動体１６０のつば部１６２が配置されると同時に軸受け部１４３は、前記駆動体１６０の駆動軸部１６４と回転可能に嵌合する。また、カバー部材１８０を配置することもできる。
【００３２】
また、回転体１５０は、蓋体１４０における軸受け部１４４に回転可能に支持されるとともに歯車１５３が軸受け部１４４の周りに配置される。このように、蓋体１４０と回転体１５０と駆動体１６０を組み合わせると、回転体１５０における回転軸部１５２周りに配置され、歯車１５３と駆動体１６０におけるつば部１６２の内周面に配置された歯車部１６３が噛合する。本実施例においては、歯車１５３は、歯数が１７であり、歯車部１６３の歯数は６５であるので、駆動体１６０を一回転させると、ごみかご本体１２０は、およそ３．８回転するものである。もっともこのようなギヤ比に限定されるものではないことは言うまでもない。
【００３３】
蓋体１４０と回転体１５０と駆動体１６０が組み合わされたものを、ごみかご本体１２０に配置する。この場合回転体１５０における複数のかご体係合部１５４は、ごみかご本体１２０と係合する。すなわち、複数のかご体係合部１５４は、ごみかご本体１２０の側面部１２２における、各長片１３３の上端部１３３ａと上端部１３３ａの間の空所１３３ｂに配置され、その上端部１３３ａと係合する。
【００３４】
生ごみ脱水装置１０の使用方法としては、流し台２００のシンク２０１において、支持装置１１を配置し、その支持装置１１の内部に生ごみ脱水機１００を配置する。これは三角コーナーの代わりに配置する。
【００３５】
このとき、支持装置１１に配置した状態で生ごみ脱水機１００から、回転体１５０と駆動体１６０が取り付けられた蓋体１４０を一度取り除く。この後、たとえば、野菜、魚、肉などを調理することにより排出された生ごみを、ごみかご本体１２０内に回収したのちに、再び上記蓋体１４０をごみかご本体１２０上に載置する。この場合、上記蓋体１４０は上述のカバー部材１８０を介して、支持装置１１と嵌合する。このときごみかご本体１２０は、支持装置１１における回転支持部３２によって回転可能に支持されているために、ごみかご本体１２０が、回転するとその遠心力によって、中に収納された生ごみの水気である排水が、支持装置１１内に排出される。
【００３６】
上記の通り支持装置１１内に排出された排水は、支持側部２０の内側２０ａに当たり、そのまま下方に流れる。従って、支持側部２０には外方に通じる孔を設けていないので、シンク２０１内にその排水を撒き散らすということはない。
【００３７】
支持側部２０の内側に流れた排水は、そのまま支持底部３０に流れ、支持排水部３５、３５、３５から排出される。なお、蓋体１４０は、ごみかご本体１２０に取り付けるといっても、蓋体１４０自体は、支持装置１１にカバー部材１８０を介して取り付けられる。したがって、蓋体１４０自体は、その支持装置１１に吊り下げられた状態となり、蓋体１４０および当該蓋体１４０に配置された回転体１５０における回転本体１５１が、ごみかご本体１２０を圧迫しないように配置された状態となる（図１１参照）。
【００３８】
ごみかご本体１２０は、上述の回転支持部３２と回転可能に支持されている。従って、回転本体１５１から垂れ下がるように配置された複数のかご体係合部１５４とごみかご本体１２０が係合しているために、ごみかご本体１２０の中心は蓋体１４０の中心と一致し、上記のとおりごみかご本体１２０の軸受け部１２１ａは、支持装置１１の回転支持部３２と回転可能に支持されている。また、鍔状部２１と鍔状を呈するフランジ部１２５とは若干の隙間を生じている。よって、ごみかご本体１２０は、支持装置１１内においてスムーズに回転することができるので、きわめて良好に排水することができる。
【００３９】
生ごみ脱水機１００における側面部１２２に配置した一定間隔の隙間１２３から、支持装置１１内に排出された排水は、その支持装置１１内における支持側部２０の内側２０ａａに衝突する。このとき、上記の通りその支持側部２０の内側２０ａは、孔が無く、凸凹のない滑らかな構成であり、さらに、支持側部２０と、支持底部３０とは、角のないＲ形状２５によって滑らかに接続されているので、排水が、支持装置１１内に溜まりにくい構成である。従って、その支持側部２０の内側２０ａに衝突した排水が直ちに降下し、支持排水部３５、３５、３５から外部に排水される。この場合、外部といってもシンク２０１に流れ出るだけであるので、後はその排水を水で流すのみであり、その後の処理はきわめて容易である。また、その支持装置１１の底である支持底部３０から排水されるだけであるので、遠心力を活用して、生ごみを脱水する場合であってもその排水が、周囲に飛び散るというものではなく、上記の通り支持底部３０から流れ出るだけであるので、支持装置１１の周囲をその排水で汚すこともない。
【００４０】
また、生ごみ脱水機１００の底部１２１の中心に配置した軸受け部１２１ａを支持装置１１で支えているので、支え部１４６を手で支えつつ、把持部１７０を持ち、駆動体１６０を、円周溝１４２内において回転すると、上記のとおり、つば部１６２の内周面に配置された歯車部１６３が回転し、それと噛合する歯車１５３が回転する。前記歯車１５３は回転体１５０における軸部１５２周りに配置され一体であることから、回転体１５０におけるかご体係合部１５４が回転し、そのかご体係合部１５４と係合するごみかご本体１２０が回転することで生ごみを確実に脱水することができる。
【００４１】
なお、駆動体１６０が蓋体１４０の中心からずれた位置に配置されていることから、支持装置１１を配置することなくシンク２０１に生ごみ脱水機１００のみを配置すると駆動体１６０に配置されている把持部１７０を回しても力のかかり具合が偏向し回転がスムーズにいかない可能性がある。しかしながら、上記のとおり支持装置１１内に生ごみ脱水機１００を配置することで、底部１２１の中心がその支持装置１１における回転支持部３２
に支持されている。従って、駆動体１６０が蓋体１４０の中心から偏心していたとしてもスムーズに回転することができ、回収された生ごみを脱水することができる。なお、駆動体１６０が蓋体１４０の中心から偏心するというのは、駆動体１６０の回転する中心が蓋体１４０の中心からずれるということであり駆動体１６０の回転する中心と蓋体１４０の中心が一致しないということである。
【符号の説明】
【００４２】
１０  生ごみ脱水装置
１１  支持装置
２０  支持側部
２１  段差部
３０  支持底部
３１  配置部
３２  回転支持部
３３  周辺部
３４  底片部
３５  支持排水部
３５ａ  円弧部
３７  接続部
３８  脚部
１００  生ごみ脱水機
１２０  ごみかご本体
１４０  蓋体
１５０  回転体
１５４  かご体係合部
１６０  駆動体
１７０  把持部
２００  流し台
２０１  シンク
【図１】
0003206617.tif 000003
【図２】
0003206617.tif 000004
【図３】
0003206617.tif 000005
【図４】
0003206617.tif 000006
【図５】
0003206617.tif 000007
【図６】
0003206617.tif 000008
【図７】
0003206617.tif 000009
【図８】
0003206617.tif 000010
【図９】
0003206617.tif 000011
【図１０】
0003206617.tif 000012
【図１１】
0003206617.tif 000013